(57)【要約】      （修正有）【課題】骨における通路の形成に使用するトロカールとトロカールスリーブとの組立体を提供する。【解決手段】長手方向距離において軸から半径方向に伸びている少なくも１個の突起を備えたトロカール、長手方向距離に置かれた閉鎖された末端部に伸びている穴の側壁の少なくも１個の長手方向の溝を有するトロカールスリーブ２４８、トロカールスリーブ２４８の穴を通って挿入され、そして骨の中に形成された通路を通って伸びるようにされたロッドを備え、長手方向距離は、少なくも１個の半径方向突起が少なくも１個の長手方向の溝と組み合ったときに、トロカールの末端の穿孔用尖端部がスリーブの末端側端部より突き出すような距離であり、これによりトロカール及びトロカールスリーブは一体で回転しかつ末端向きの長手方向運動をするように互いに開放可能に連結される組立体。【選択図】図６８
2008155037.tif 000002
【特許請求の範囲】
【請求項１】
骨における通路の形成に使用するトロカールとトロカールスリーブとの組立体であって、
軸、末端の穿孔用尖端部及び前記末端側尖端部から手前方向に予定の長手方向距離において前記軸から半径方向に伸びている少なくも１個の突起を備えたトロカール、
末端側端部及び前記末端側端部と手前側端部との間を伸びている長手方向の穴を定めている手前側端部、及び前記スリーブの前記手前側端部から前記スリーブの前記末端側端部から手前方向に予定の長手方向距離に置かれた閉鎖された末端部に伸びている前記穴の側壁の少なくも１個の長手方向の溝を有するトロカールスリーブ、及び
前記トロカールスリーブの前記穴を通って挿入され、そして骨の中に形成された通路を通って伸びるようにされたロッドを備え、
前記スリーブの末端が、その内側エッジからスリーブの長手方向軸線に関してある角度で斜めにされ、前記角度は末端の穿孔用尖端部がトロカールの長手方向軸線に関して配置される角度と実質的に等しく、
前記トロカールは前記少なくも１個の半径方向突起が前記少なくも１個の長手方向の溝と摺動組合して前記スリーブの前記穴と摺動組合するようにされ、更に前記予定の長手方向距離は、前記少なくも１個の半径方向突起が前記少なくも１個の長手方向の溝と組み合ったときに、前記トロカールの前記末端の穿孔用尖端部が前記スリーブの前記末端側端部より突き出すような距離であり、
これにより前記トロカール及び前記トロカールスリーブは一体で回転しかつ末端向きの長手方向運動をするように互いに開放可能に連結される
前記組立体。
【発明の詳細な説明】
【技術分野】
【０００１】
本発明は、一般に外科的方法及び装置に関し、特に骨のトンネル内に骨のブロックを固定するための方法及び装置に関する。
【背景技術】
【０００２】
靭帯、腱及び／又はその他の軟組織の、その組み合わせられた身体内の骨からの完全な又は部分的な剥離は、比較的ありふれた損傷である。組織の剥離は、作業関連の活動中、運動の途中、又はその他の多くの状況及び／又は活動のいずれにおいても、落下、過伸展のような事故の結果として生ずる。かかる損傷は、一般に組織に加えられた過大なストレスの結果である。
【０００３】
部分的剥離の場合は、一般用語「捻挫（ｓｐｒａｉｎ）」と呼ばれるのが普通であり、損傷は十分な時間が与えられ、かつ治療過程中に、損傷部が過度のストレスに曝されないように注意すれば、自然治癒することが多い。しかし、靭帯又は腱がその組み合わせられた骨から完全に剥離した場合、或いは外傷性損傷の結果として重症である場合は、部分的又は永久的な廃疾が生ずる。幸いに、かかる剥離した組織を再付着させ及び／又はひどく損傷された組織を完全に置き換えるための多くの外科的処置がある。
【０００４】
かかる処置のひとつに、ステープル、縫合糸及び／又は海綿質ネジのような「在来の」連結器具を使用した剥離組織の再付着が含まれる。かかる在来の連結器具は、腱又は靭帯の移植片（身体の他の場所から採取された自己組織から形成されることが多い）を希望の骨に取り付けるためにも使用されてきた。
【０００５】
別の処置が、ジェラルド・エー・ボウマン他の１９９０年８月２１日付け特許文献１に説明される。この処置においては、例えば、人の膝の損傷を受けた前十字靭帯（ＡＣＬ）は、まず、前十字靭帯の正規の取付点において脛骨及び大腿骨を通して骨のトンネルを形成することにより置き換えられる。次に、一方の端部に骨のブロックを有する靭帯移植片が、骨のトンネル内に適合するような寸法にされる。次いで、縫合糸が骨のブロックに取り付けられ、それから脛骨及び大腿骨のトンネルを通過する。次いで、骨のブロックが縫合糸を使用して脛骨のトンネルを通って引かれ大腿骨のトンネル内に引き上げられる。これが行われると、移植靭帯は大腿骨のトンネルから戻って出て、膝関節の内部を横切り、そして脛骨のトンネルを通過する。移植靭帯の自由端は、脛骨の前側で脛骨の外側にある。次に、骨ネジが骨のブロックと大腿骨のトンネルの壁との間に差し込まれ、きつい干渉適合で骨のブロックを定位置に確保する。最後に、移植靭帯の自由端が脛骨に確実に取り付けられる。
【０００６】
イー・マーロウ・ゴベルの１９９２年９月１５日付け特許文献２において、揃えられた大腿骨及び脛骨のトンネルを人の膝に形成する処置が説明される。取り付けられた移植靭帯を有する骨のブロックは、トンネルを通過して大腿骨トンネルの閉鎖された端部に至り、ここで、ブロックはアンカーにより定位置に固定される。靭帯は脛骨トンネルから外に伸び、その端部はステープル又は同等品により脛骨皮質に取り付けられる。或いは、靭帯の端部はアンカーにより、又は干渉ネジ（ｉｎｔｅｒｆｅｒｅｎｃｅ  ｓｃｒｅｗ）により脛骨トンネル内に固定される。
【０００７】
種々の形式の靭帯及び／又は縫合糸アンカー及びその他の対象物を骨に取り付けるためのアンカーが、本技術において知られている。多種のこれら器具が特許文献３、４、５、
６及び７に説明され、これらの各は、本願の譲受人、マサチューセッツ州ウエストウッドのミテック・サージカル・プロダクツ・インク（ＭｉｔｅｋＳｕｒｇｉｃａｌ  Ｐｒｏｄｕｃｔｓ，Ｉｎｃ．）が現在所有している。
【０００８】
骨のトンネル内に骨のブロックを固定するための一つの公知の方法は、「交差ピン止め（ｃｒｏｓｓ−ｐｉｎｎｉｎｇ）」であり、これにおいては、ピン、ネジ又はロッドを、骨のブロックと交差するように骨のトンネルを横切って骨の中に駆動し、これにより骨のトンネル内に骨のブロックを交差ピン止めする。骨のトンネル内に骨のブロックを適正に交差ピン止めするために、一般にドリル案内が使用される。ドリル案内は、骨の中に横断方向通路を位置決めし、これが適切なトンネル部分及び骨のブロックと交差することを確実化させるように作用する。かかる横断方向の穴空けの実行に使用するドリル案内が特許文献８、９、１０、１１及び１２に示される。
【０００９】
交差ピン止めを説明しているその他の特許に、特許文献１３、１４、１５、１６、１７、１８、１９及び２０が含まれる。
【００１０】
イー・マーロウ・ゴベルの１９９５年７月１１日付け特許文献１２においては、交差ピンネジは時間をかけて体内に吸収し得る材料から形成され、これにより次の外科処置で交差ピンネジを取り出す必要を全くなくしている。
【００１１】
しかし、本技術において今知られているようなかかる吸収性の交差ピンネジは、骨及び骨のブロック内に直接通過させるに十分な強度がない。このため、吸収性の交差ピンネジを使用するには、まず硬質金属の穿孔器で骨及び骨のブロック内に穿孔し、穿孔器を引き抜き、次いで穿孔器を吸収性交差ピンネジと置き換えねばならない。しかし、硬質金属の穿孔器の除去は、骨のブロックがトンネル内で移動することを許し、続く吸収性交差ピンネジの挿入を不可能とする。
【００１２】
【特許文献１】米国特許第４，９５０，２７０号
【特許文献２】米国特許第５，１４７，３６２号
【特許文献３】米国特許第４，８９８，１５６号
【特許文献４】米国特許第４，８９９，７４３号
【特許文献５】米国特許第４，９６８，３１５号
【特許文献６】米国特許第５，３５６，４１３号
【特許文献７】米国特許第５，３７２，５９９号
【特許文献８】米国特許第４，９０１，７１１号
【特許文献９】米国特許第４，９８５，０３２号
【特許文献１０】米国特許第５，１５２，７６４号
【特許文献１１】米国特許第５，３５０，３８０号
【特許文献１２】米国特許第５，４３１，６５１号
【特許文献１３】米国特許第３，９７３，２７７号
【特許文献１４】米国特許第５，００４，４７４号
【特許文献１５】米国特許第５，０６７，９６２号
【特許文献１６】米国特許第５，２６６，０７５号
【特許文献１７】米国特許第５，３５６，４３５号
【特許文献１８】米国特許第５，３７６，１１９号
【特許文献１９】米国特許第５，３９３，３０２号
【特許文献２０】米国特許第５，３９７，３５６号
【００１３】
従って、処置の完了時に、骨のブロックが吸収性材料製の部材により骨のトンネル内に交差ピン止めされるように骨のブロックを骨のトンネル内に固定する方法及び装置に対す
る要求がある。
【発明の開示】
【発明が解決しようとする課題】
【００１４】
このため、本発明の目的は、身体に吸収可能な材料で作られた交差ピンによりトンネル内に骨のブロックを固定する方法を提供することである。
【００１５】
本発明の別の目的は、前述の方法を現実化する装置を提供することである。
【課題を解決するための手段】
【００１６】
本発明のこれら及びその他の目的は骨のブロックを骨のトンネル内に固定する新規な方法及び装置の準備と使用により対処される。
【００１７】
本発明に１形式においては、この新規な方法は、骨のトンネルの中に骨のブロックを置き、次いで第１及び第２のドリル手段を、骨のブロックと交差しかつこれを貫いて伸びるように骨のトンネルを横切る方向で骨を通して進める諸段階を含む。この方法は、更に、ドリル手段の一方を引き抜きそして一方の引き抜かれたドリル手段を第１の吸収性ロッドで置き換え、次いで他方のドリル手段を引き抜いてこの他方のドリル手段を第２の吸収性ロッドで置き換え、これにより骨のブロックを吸収性ロッドによって骨のトンネル内に保持する。本発明の１形式においては、第１及び第２のドリル手段は金属線を備えることができる。
【００１８】
本発明の目的は、更に、骨のトンネル内に骨のブロックを固定するための別の準備と使用とにより達成される。この方法は、骨のトンネル内に骨のブロックを置き、次いで、間隔の空けられた第１及び第２のトカロールとスリーブとの組立体を、これが骨のブロックと交差し貫いて伸びるように骨を通して進める諸段階を含む。この際、各組立体のトカロールは組立体のスリーブの１個内に配置されかつスリーブを実質的に満たす。この方法は、更に、第１のスリーブからトカロールを抜き取り、第１のスリーブを通しかつ骨のブロックを通して第１の吸収性ロッドを進め、次いで第１のスリーブを引き抜いて骨及び骨のブロック内に吸収性ロッドを残す諸段階を含む。この方法は、更に、第２のスリーブからトカロールを引き抜き、第２のスリーブを通しかつ骨のブロックを通して第２の吸収性ロッドを進め、次いで第２のスリーブを引き抜いて骨及び骨のブロック内に第２の吸収性ロッドを残す段階を含み、これにより骨のブロックは吸収性ロッドにより骨のトンネル内に保持されるであろう。
【００１９】
本発明の目的は、更に、骨のトンネル内に骨のブロックを固定する別の方法の設備と使用により達成される。この方法は、骨のトンネルの中に骨のブロックを置き、次いで第１及び第２のトカロールとスリーブとの組立体を、骨のブロックと交差しかつこれを貫いて伸びるように骨のトンネルを横切る方向で骨を通して進める諸段階を含み、この場合、各組立体のトカロールは組立体のスリーブのひとつの中に配置されかつスリーブを実質的に満たしている。この方法は、更に、スリーブからトカロールを引き抜き、スリーブを通しかつ骨のブロックを通して吸収性ロッドを進め、次いで骨のブロック及び骨からスリーブを引き抜いて骨のトンネル及び骨の中に吸収性ロッドを残す諸段階を含み、これにより骨のブロックは吸収性ロッドにより骨のトンネル内に保持される。
【００２０】
本発明の更なる特徴により、人の大腿骨の骨のトンネル内に骨のブロックを交差ピン止めするためのラック組立体であって、ベース部分とベース部分を横切る方向に伸びているアーム部分とを有するＬ状部材、及び脛骨を通って大腿骨内に動きそして大腿骨の骨のトンネル内に配置されるカニューレ挿入スリーブ（ｃａｎｎｕｌａｔｅｄ  ｓｌｅｅｖｅ）を備えた前記ラック組立体が提供される。このカニューレ挿入スリーブは、大腿骨のトン
ネル内に配置するためのその自由端の拡大ヘッド部分を有し更に反対側端部はＬ状部材のベース部分に連結可能である。ラック組立体は、更に、Ｌ状部材のアーム部分に取外し可能でかつ連結可能でありそしてカニューレ挿入スリーブのヘッド部分の長手方向軸線に直角に伸びる貫通穴を有するトカロールスリーブ案内、それぞれ穴の中に可動に配置された第１及び第２のトカロールスリーブを備え、少なくも１個のトカロールがトカロールスリーブ内に配置され、このトカロールは、これが配置されたトカロールスリーブと相互連結ができ、このため、トカロールスリーブとトカロールとはカニューレ挿入スリーブのヘッド部分に向かって軸方向で可動でありかつ一緒に回転可能であり、従って、相互連結されたトカロールとトカロールスリーブとは、大腿骨及び骨のブロック内に穴を空けることができる。トカロールはトカロールスリーブから引き抜かれ、そして吸収性ロッドがトカロールスリーブを通りかつ骨のブロックを通って滑り提供され、トカロールスリーブが骨のブロック及び大腿骨から、更に吸収性ロッドから引き抜かれ、骨のブロック及び大腿骨の中に吸収性ロッドを残す。
【００２１】
本発明の更に別の特徴により、骨のトカロール及び人の大腿骨の骨のブロックを交差ピン止めする別のラック組立体が提供される。このラック組立体は、ベース部分とベースを横切る方向に伸びているアーム部分とを有するＬ状部材、及び自由端が骨のブロックに隣接して配置されるまで大腿骨を通って動き、その反対側端部はＬ状部材のベース部分に連結可能であるカニューレ挿入スリーブを備える。Ｌ状部材のアーム部分に取り外し可能にトカロールスリーブ案内部材が連結され、これにはカニューレ挿入スリーブの長手方向軸線の仮定延長線と直角の方向に伸びている穴が設けられる。第１及び第２のトカロールスリーブが、それぞれこの穴に可動に配置されて設けられる。少なくも１個のトカロールがトカロールスリーブ内に配置されて設けられ、このトカロールはこれが配置されたトカロールスリーブと相互連結できる。トカロールは、相互連結されたトカロールとトカロールスリーブとが大腿骨及び骨のブロック内に穴を空けるように、トカロールスリーブとトカロールとが一緒に骨のブロックの方に軸方向に動きかつ回転するように配置される。トカロールはトカロールスリーブから抜き取られ、そしてトカロールスリーブを通し更に骨のブロックを通して吸収性ロッドが滑らされ、トカロールスリーブが骨のブロックと大腿骨及び吸収性ロッドから引き抜かれ、そして骨のブロック及び大腿骨の中に吸収性ロッドを残す。
【００２２】
本発明の更なる特徴により、骨の中の骨のトンネル内に骨のブロックを固定する方法が提供される。この方法は、
骨の中に骨のトンネルを形成し、骨のトンネルは開口端部、骨のブロックを入れるような寸法にされた横断方向直径を有する開口端部に隣接した部分及び骨の内部に置かれ少なくも部分的に閉鎖された端部を備え、
骨のブロックの一方の端部が骨のトンネルの少なくも部分的に閉鎖された端部と実質的に隣接して配置されように骨のブロックを骨のトンネル内に置き、
ドリル手段が骨のトンネルと交差しかつこのトンネルを通って伸びるようにドリル手段を骨のトンネルを横切る方向で骨を通して前進させ、そして骨のブロックの他方の端部と実質的に隣接する骨の中に戻し、そして
骨からドリル手段を取り去ってドリル手段をロッドで置き換え、
これにより骨のブロックを少なくも部分的に閉鎖された端部とロッドとの間で骨のトンネル内に保持する諸段階を包含する。
【００２３】
本発明の特徴により、骨の中のエレメントを配備する方法であって、
末端側端部、手前側端部及び長手方向の長さを有する中空スリーブを備えたトロカールとトロカールスリーブとの組合せを調製し、ここにスリーブの内部は手前側端部と末端側端部との間の実質的に円筒状の長手方向通路を定め、更に通路の側壁の両側に１対の溝を有し、溝は、それぞれ、スリーブの手前側端部から、スリーブの末端側端部より間隔を空けられた両側の閉鎖端部に伸び、更に
トロカールは、通路内に摺動可能に入れられるようにされた横断方向断面、骨の中に穿孔するようにされた尖った末端側端部、及び両側の１対の突起を有する軸を備え、突起は、軸が通路内に置かれたとき、溝の中に摺動可能に入れられ、かつ軸の末端側端部から溝の閉鎖端部までの長手方向間隔に関する尖った端部から突起までの長手方向距離のため尖った端部が末端端部から出る長さが限定され、
これによりトロカールが通路内に挿入されたとき、得られたトロカールとトロカールスリーブとの組合せは一体として回転できかつ骨の中に末端方向向きに穿孔でき更にトロカールをスリーブより手前側方向に滑らせて抜き出すことができ、
トロカールとトロカールスリーブとの組合せで骨の中に穿孔し、
トロカールスリーブからトロカールを抜き出し、
エレメントをスリーブの通路を通して骨の中に挿入し、そして
スリーブをエレメント及び骨から取り出す諸段階を包含した方法が提供される。
【００２４】
本発明の別の特徴により、骨のトンネルにおいて移植片の一部分を固定する方法であって、
トロカールとトロカールスリーブとの組合せが骨を通りかつ骨のトンネルを横切って伸びるように、トロカールとトロカールスリーブとの組合せを中に形成された骨のトンネルを横切る方向で骨の中に前進させ、
トロカールスリーブからトロカールを抜き出し、
スリーブを経て骨の中に吸収性ロッドを挿入し、骨のトンネルを横切って伸びている吸収性ロッドを残すようにスリーブを引き抜き、
ある長さのコード状材料の一方の端部を骨のトンネル内に置くべき部分に隣接して移植片に取り付け、
ある長さのコード材料の他方の端部を骨のトンネルの開口端部内に通し、骨のトンネルを横切って伸びている吸収性ピンをまわり、そして骨のトンネルの前記開口端部から出して戻し、更に
移植片の部分を骨のトンネルの開口端部内に引くようにコード状材料の他方の端部を引き、骨のトンネルを横切って伸びている吸収性ピンをまわり、そして骨のトンネルの開口端部から出して戻し、
これにより骨のトンネルの開口端部から外に伸びている組織片の部分の確保によりこの中に固定するために移植片の部分が骨のトンネル内で吸収性ピンの上で輪にされる
諸段階を包含した前記方法が提供される。
【００２５】
本発明の別の特徴により、骨における骨のトンネル内に骨のブロックを固定する方法であって、
骨のトンネル内に堅い骨のブロックを置き、
少なくも１個のトロカールとトロカールスリーブとの組立体の末端側端部を骨のトンネルの側壁に近い骨内に定着させるように少なくも１個のトロカールとトロカールスリーブとの組立体を骨のトンネルを横切る方向で骨の中に進め、少なくも１個の組立体のトロカールはその組み合わせられたトロカールスリーブ内に配置されかつこれを実質的に満たしており、
少なくも１個のトロカールとトロカールスリーブとの組立体からトロカールを引き抜き、そして少なくも１個のスリーブ内にロッドを挿入し、
長い軸の一方の端部をロッドに当たるようにスリーブ内に滑らせて挿入し、
ロッドをスリーブから出して骨を通りそして骨のブロック内に駆動するように長い軸の他方の端部を叩く
諸段階を包含した前記方法が提供される。
【００２６】
本発明の別の特徴により、治療のために、骨の整復された骨折を定位置に維持する方法であって、
少なくも１個のトロカールとトロカールスリーブとの組合せを、整復された骨折の一方の側の骨を通過し、整復された骨折を横切り、そして整復された骨折の別の側の骨の中に進め、少なくも１個のトロカールとトロカールスリーブとの組立体の各のトロカールはその組み合わせられたスリーブを実質的に満たしており、
少なくも１個のトロカールとトロカールスリーブとの組立体からトロカールを抜き出し、
ロッドを、少なくも１個のスリーブを通過して整復された骨折の他方の側の骨の中に挿入し、そして
整復された骨折を横切って伸びている骨の中の前記ロッドを残すように少なくも１個のスリーブを骨及びロッドから抜き出す
諸段階を包含した前記方法が提供される。
【００２７】
本発明の別の特徴により、骨の内部に材料を送達させる方法であって、
少なくも１個のトロカールとトロカールスリーブとの組合せを骨の内部に進め、少なくも１個のトロカールとトロカールスリーブとの組立体のトロカールはその組み合わせられたスリーブを実質的に満たしており、
少なくも１個のトロカールとトロカールスリーブとの組立体からトロカールを抜き出し、
少なくも１個のスリーブを通して骨の内部に材料を送達し、そして
少なくも１個のスリーブを骨から抜き出す
諸段階を包含した前記方法が提供される。
【００２８】
本発明の別の特徴により、骨のトンネル内に骨のブロックを固定する方法であって、
ベース部分及びベース部分を横切る方向に伸びているアーム部分を有するＬ状部材、一方の端部がＬ状部材のベース部分に解放可能に連結されそして他方の端部がラック組立体を骨のブロックの意図された固定位置に関して整列させるように骨のトンネル内に配置されたカニューレ挿入スリーブ（ｃａｎｎｕｌａｔｅｄ  ｓｌｅｅｖｅ）、骨のトンネル内の骨のブロックの意図された固定位置を横切る角度で貫通穴が配置されるようにＬ状部材の前記アーム部分に取り外し可能に連結されたトロカールスリーブ案内部材、穴の中にそれぞれ動き得るように配置された第１及び第２のトロカールであって、少なくも１個のトロカールがトロカールスリーブ内に動き得るように配置され、少なくも１個のトロカールはこれが配置されたトロカールスリーブと相互連結ができ、各トロカールは、少なくも１個のトロカールが中に置かれたとき、相互連結されたトロカールとトロカールスリーブとが骨の中に穿孔するように、骨の部材の意図された固定位置に向かって軸方向に可動でありかつトロカールとともに回転可能であり、少なくも１個のトロカールはトロカールスリーブからそれぞれ除去可能である第１及び第２のトロカールスリーブ、及びトロカールスリーブ内に滑り込むロッドを備えたラック組立体を調製し、
骨のトンネル内のその整列位置にあるカニューレ挿入スリーブ及びアームに連結されたスリーブ案内部材により、トロカールとトロカールスリーブとの組立体を骨の中に進めるが骨のトンネル内には進めず、
少なくも１個のトロカールをトロカールとトロカールスリーブとの組立体から抜き出し、
カニューレ挿入スリーブを骨のトンネルから、また第１及び第２のスリーブをスリーブ案内から抜き出し、
骨のブロックを、骨に配置された第１及び第２のスリーブの軸方向突出と揃えて骨のトンネル内に置き、
第１の長いトロカールを調製し、第１のトロカールを、第１のスリーブを通し、第１のスリーブの末端側端部と骨のトンネルとの間に位置する骨を通し、そして骨のブロック内に進め、
第２の長いトロカールを調製し、第２のトロカールを、第２のスリーブを通し、第２のスリーブの末端側端部と骨のトンネルとの間に位置する骨を通し、そして骨のブロック内に進め、
第２の長いトロカールを骨のブロック、骨及び第２のスリーブから抜き出し、
堅いロッドを、第２のスリーブを通して骨及び骨のブロック内に挿入し、
第１の長いトロカールを骨のブロック、骨及び第１のスリーブから抜き出し、
別の堅いロッドを、第１のスリーブを通して骨及び骨のブロック内に挿入し、更に
第１及び第２のスリーブを骨から抜き出す
諸段階を包含した前記方法が提供される。
【００２９】
本発明の別の特徴により、骨における通路の形成に使用するトロカールとトロカールスリーブとの組立体であって、
軸、末端の穿孔用尖端部及び末端側尖端部から手前方向に予定の長手方向距離において軸から半径方向に伸びている少なくも１個の突起を備えたトロカール、及び
末端側端部及び末端側端部と手前側端部との間を伸びている長手方向の穴を定めている手前側端部、及びスリーブの手前側端部から前記スリーブの末端側端部から手前方向に予定の長手方向距離に置かれた閉鎖された末端側端部に伸びている穴の側壁の少なくも１個の長手方向の溝を有するトロカールスリーブ
を備え、
トロカールは少なくも１個の半径方向突起が少なくも１個の長手方向の溝と摺動組合してスリーブの穴と摺動組合するようにされ、更に予定の長手方向距離は、少なくも１個の半径方向突起が少なくも１個の長手方向の溝と組み合ったときに、トロカールの末端の穿孔用尖端部がスリーブの末端側端部より突き出すような距離であり、
これによりトロカール及びトロカールスリーブは一体で回転しかつ末端向きの長手方向運動をするように互いに解放可能に連結される
前記組立体が提供される。
【００３０】
本発明の別の特徴により、骨の中に物体又は材料を置くための外科用キットであって、
少なくも２個のトロカールスリーブ、スリーブと共に一体で回転しかつこれと共に長手方向に運動するためにスリーブと解放可能に相互連結し得るようにされた少なくも１個のトロカール、スリーブを通り骨の中に摺動可能に回転運動するようにされた少なくも１個の長い段付きのトロカール、物体及び／又は材料を挿入し得る通路を提供するためにスリーブとトロカールとが骨を貫通する角度を管理するようにされたラック組立体、及びスリーブ及びトロカールにより形成された通路を経て骨の中に物体及び／又は材料を通過させるようにされたプランジャー及び叩き手段
を備えた前記キットが提供される。
【００３１】
本発明の上および他の目的および特徴は、本発明の好ましい態様の以下の詳細な記述においてより完全に論考されることができるか、もしくはこれにより明らかにされることができ、これは付随する図面と一緒に考慮されるべきであり、ここで同様の数字は同様の部分を指す。
【好ましい態様の詳細な記述】
【００３２】
最初に図１を引用すれば、大腿骨１２および脛骨１４を包含するヒトの膝関節１０が適切な大腿骨のトンネル１６および適切な脛骨のトンネル１８を提供されていることがみられることができる。こうしたトンネルは当該技術分野で公知の方法で提供されうる。それに取付けられた靭帯材料２２を有する骨のブロック２０が大腿トンネル１６中で位置を定められている。こうした骨のブロックの位置ぎめもまた当該技術分野で公知の方法で達成されうる。
【００３３】
次に図２を見れば、本発明に従って、普遍的にガイドワイヤもしくは「Ｋワイヤ」と称される型のものでありうる第一金属ワイヤ３０が、皮膚３１および大腿骨１２の第一部分３２を通って前進される。第一ワイヤ３０は、図２に示されるように、骨のブロック２０を横切りかつこれを通って伸びるように大腿トンネル１６の横断方向に前進される。その後、もしくはこれと同時に、第二金属ワイヤ３４が大腿骨１２の第二部分３６を通って前進される。第二ワイヤ３４もまた、また骨のブロック２０を横切りかつこれを通って伸びるように大腿トンネル１６の横断方向に前進される（図３）。この点で、骨のブロック２０は、２個の空間を空けられて離れた金属ワイヤ３０、３４により大腿トンネル１６中にしっかりと保持される。
【００３４】
次に図４を参照すれば、２個のワイヤ３０、３４の一方がその後除去される一方、２個のワイヤ３０、３４の他方が大腿骨１２および骨のブロック２０中の正しい場所に残されることがみられることができる。例として、しかし制限としてでなく、ワイヤ３０が除去されうる一方、ワイヤ３４が正しい位置に残される。第一吸収性ロッド４０（図５）がその後、第一ワイヤ３０の除去により残されたボア４２を通って前進され、その結果第一吸収性ロッド４０が大腿骨１２および骨のブロック２０を通って伸びる（図６）。この点で、骨のブロック２０が、金属ワイヤ３４および第一吸収性ロッド４０の双方により大腿トンネル１６中にしっかりと保持される。
【００３５】
その後、２個の金属ワイヤ３０、３４の他方が回収され（例えば、図７では金属ワイヤ３４が除去される）、そして第二吸収性ロッド４４（図８）が、金属ワイヤ３４の除去により残されたボア４６を通って前進され、その結果第二吸収性ロッド４４もまた大腿骨１２および骨のブロック２０を通って伸びる（図９）。
【００３６】
第二吸収性ロッド４４の挿入の完了に際して（図９）、骨のブロック２０が吸収性ロッド４０、４４によってのみ大腿トンネル１６中に保持されることが真価をみとめられることができる。
【００３７】
吸収性ロッド４０、４４は、ポリ乳酸（ＰＬＡ）、ポリグリコール酸（ＰＧＡ）、ポリジアキサノン（ＰＤＳ）のような材料から、もしくは比較的剛性かつ堅固な形状に二次成形性であるがしかし徐々に患者の身体により吸収性であるようないくつかの他の材料から作成されうる。所望の場合、吸収性ロッド４０、４４の末端側端部は身体へのそれらの配
備を助長するように尖らせもしくは丸められ得る。
【００３８】
従って、それにより骨のブロックが骨のトンネル内に固定される方法が提供され、その結果、骨のブロックは、徐々に身体により吸収性である材料から作成される交差ピンによりトンネル中に繋ぎ止められる。
【００３９】
上の方法は第一および第二吸収性ロッドにより連続的に置き換えられる第一および第二ワイヤに関して記述されかつ具体的に説明されている一方、当該方法は１個を越えるいずれかの合理的な数のワイヤを用いて行われうることが理解されることができる。後者の例において、当該方法は、骨のブロックを骨のトンネル中に置くこと、そしてその後複数の金属ワイヤを、骨のブロックを遮断しかつそれを通って伸びるようにトンネルの横断方向に骨を通って前進させること、の段階を包含する。最低１個のワイヤがその後、最低１個のワイヤを正しい場所に残しつつ除去され、そしてその最低１個の除去されたワイヤがその後、最低１個の吸収性ロッドにより置き換えられる。最低１個のさらなるワイヤがその後除去され、そしてその最低１この除去されたワイヤがその後、最低１個のさらなる吸収性ロッドにより置き換えられる。最後に挙げられた段階は、その後、選択された数の金属ワイヤがそれぞれ１個の吸収性ロッドで置き換えられるまで反復され、それにより骨のブロックを吸収性ロッドとともに骨のトンネル中に保持する。
【００４０】
図１〜９が交差ピン留め処置の間に骨のブロック２０を完全に通過する金属ワイヤ３０、３４および吸収性ロッド４０、４４を示す一方、金属ワイヤ３０、３４および吸収性ロッド４０、４４が、それが所望されるべきである場合は、骨のブロック２０を横切って部分路（ｐａｒｔ  ｗａｙ）のみを進むこともまた可能であることもまた理解されることができる。
【００４１】
さらに、上の方法が大腿骨１２および骨のブロック２０を通って穿孔するのに使用されている金属ワイヤ３０、３４に関して記述されかつ具体的に説明されている一方、他の孔あけ（ｄｒｉｌｌｉｎｇ）道具（例えば捩れ錐もしくはすき形錐）もまた使用されうることもまた理解されることができる。
【００４２】
上に示されたように、骨のブロックを大腿トンネル内に交差ピン留めするように大腿骨および骨のブロックを通る横断経路を形成するための多様なドリルガイドが開発されている。所望の場合は、本発明の発明の方法はこうした既知のドリルガイドを使用して実施されうる。あるいは、本発明はまた、本発明に従って形成された新規ラック組立体を使用しても実施されうる。
【００４３】
より具体的には、また、今や図１０〜１７を見れば、新規ラック組立体５０が本発明を実施するために開示される。ラック組立体５０はベース部分５４およびアーム部分５６を有するＬ状部材５２を含んで成る。アーム部分５６は、ベース部分５４の横断方向に伸び、そして好ましくはこれに垂直である。
【００４４】
ラック組立体５０はカニューレ挿入スリーブ５８もまた包含し、これはその第一端部６０で拡大頭部部分６２を提供され、かつその第二端部６４でＬ状部材５２のベース部分５４に解放可能に連結可能である。スリーブ５８は止めねじ６６によりベース部分５４に形成されるボア６５（図１１）中に保持されうる。
【００４５】
トロカールスリーブガイド部材７０はＬ状部材５２のアーム部分５６に除去可能に連結可能である。トロカールスリーブガイド部材７０はそれを通って伸びるボア７２を提供される。ボア７２はカニューレ挿入スリーブ５８の拡大頭部部分６２の長手方向軸６８（図１０）に実質的に垂直に伸びる。止めねじ７１（図１１）が、トロカールスリーブガイド
部材７０をアーム部分５６上の正しい位置に解放可能に保持するのに使用されうる。あるいは、もしくは加えて、アーム部分５６は、アーム部分５６に沿ったトロカールスリーブガイド部材７０の動きを制限するための停止部手段（示されない）を提供されうる。トロカールスリーブガイド部材７０は、好ましくは、止めねじ７３により一緒に解放可能に保持される２個の半分に二次成形され（図１１）、これによりトロカールスリーブガイド部材７０は、下に論考されることができるように、ボア７２を通って進むトロカールスリーブ７４、７６上に摺動可能に据え付けられ得るか、もしくはこれから取り外され得る。
【００４６】
第一および第二トロカールスリーブ７４、７６はボア７２により摺動可能に受領され、その結果スリーブ７４、７６はボア７２中で軸方向にかつ回転可能に可動性である。図１６および１７を参照すれば、トロカールスリーブ７４が、その中に二次成形されたスロット８０を有するカラー部分７８を提供されることがみられることができる。スリーブ７６はスリーブ７４と実質的に同一である。
【００４７】
ラック組立体５０は、スリーブ７４、７６中の配置のための１個もしくはそれ以上のトロカール８２（図１０および１５）もまた包含する。各トロカール８２は骨の貫通のための鋭端部８４（図１５）を提供される。横断方向に伸びるピン８６がトロカールの反対側端部近くに（しかしこれから間隔を空けられて）提供される。ピン８６は正しい場所に固定され、また、トロカール８２の（末端側方向での）軸方向および回転する動きがスリーブ７４、７６の類似の動きを引き起こすようにトロカールスリーブ７４、７６のスロット８０により受領可能である。
【００４８】
第一および第二吸収性ロッド４０、４４は、下にさらに記述されることができるように、スリーブ７４、７６を通って摺動可能である。
【００４９】
図１８〜２８は、ラック組立体５０が本発明を実施するのにどのように使用されうるかを具体的に説明する。
【００５０】
今や図１８を参照すれば、大腿骨１２および脛骨１４を包含するヒトの膝関節１０が示される。適切な大腿トンネル１６および適切な脛骨のトンネル１８が、当該技術分野で公知の手段および方法によるように提供されている。ガイドワイヤ９０が、示されるように骨のトンネル１６、１８を通って伸びる。
【００５１】
本発明に従えば、ラック組立体のカニューレ挿入スリーブ５８は、カニューレ挿入スリーブの頭部部分６２が大腿トンネル１６中の輪状ショルダー９２を嵌合するまで、脛骨のトンネル１８を通りそして大腿トンネル１６中にガイドワイヤ９０の上を送られる（図１９）。これが起こる際に、ガイドワイヤ９０はＬ状部材５２のベース部分５４中に形成されたボア９４（図１０および１９）を通って伸びる。カニューレ挿入スリーブの頭部部分６２は、好ましくは、大腿トンネル１６中で滑り嵌めを形成するように大きさを定められる。カニューレ挿入スリーブ５８は骨のトンネル１６、１８中で位置を定められることができ、そしてその後Ｌ状部材５２に連結されることができるか、もしくは、より好ましくは、カニューレ挿入スリーブ５８は、最初にＬ状部材５２に連結されることができ、そしてその後大腿骨１２および脛骨１４中で位置を定められることができる。トロカールスリーブガイド部材７０は、アーム部分５６上ですでに位置を定められていない場合は、その後、止めねじ７１によるようにアーム部分５６に固定される（図１１）。
【００５２】
第一トロカールスリーブ７４がその後、ガイド部材７０のボア７２に挿入され（図２０）、そしてトロカール８２は、トロカール８２のピン８６（図１５）がスリーブ７４のスロット８０（図１６および１７）に嵌められるまでスリーブ７４を通って伸ばされ、トロカールの鋭端部８４はスリーブ７４の末端側端部を越えて伸びる（図２０）。あるいは、
トロカール８２は、第一トロカールスリーブ７４がボア７２中に据付けられる前に第一トロカールスリーブ７４中に据付けられうる。トロカールスリーブ７４およびトロカール８２の組合せがその後、一体として、カニューレ挿入スリーブ５８の拡大頭部部分６２に向かってしかしこれから離れて脛骨１２に穿孔される（図２０）。
【００５３】
トロカール８２が、その後、第一トロカールスリーブ７４から回収され、そして第二トロカールスリーブ７６中に置かれうる（図２１）。あるいは、第二トロカール８２が第二トロカールスリーブ７６を提供されうる。いずれの場合にも、トロカールスリーブ７６およびトロカール８２の組合せが、その後、一体として、カニューレ挿入スリーブ５８の頭部部分６２に向かってしかしこれから離れて大腿骨１２に穿孔される。ラックのＬ状部材５２がその後外科手術部位から除去されうる。これは、最初にトロカールスリーブガイド部材７０をその２個の半分に分離するように止めねじ７３（図１１）をゆるめること（それによりトロカールスリーブ７４、７６がガイド部材７０から自由にされることができる）、そしてその後、カニューレ挿入スリーブ５８を、カニューレ挿入スリーブが骨のトンネル１６、１８から現れるまでガイドワイヤ９０に沿って下方向に滑動させることにより成し遂げられうる。この処置はトロカールスリーブ７４、７６を大腿骨１２中に収容されたままにすることができる（図２２）。
【００５４】
ガイドワイヤ９０が、その後、骨のブロック２０に取付けられる縫合糸９６を、骨のブロック２０が大腿トンネル１６中の輪状ショルダー９２を嵌合するまで、脛骨のトンネル１８を通ってそして大腿トンネル１６中に上に引くのに使用される（図２３）。ガイドワイヤ９０は、この処置を助長するように、その手元側端部に隣接するアイレット（示されない）を提供されうる。骨のブロック２０がその後、大腿骨１２の上部から現れる縫合糸９６の部分の張力を維持することによりこの位置に保持され得る。
【００５５】
トロカールスリーブ７６およびトロカール８２がその後、図２４に示されるように、骨のブロック２０を通って穿孔される。トロカール８２がその後、スリーブ７６から除去され、スリーブ７４中に置かれ、また、スリーブ７４およびトロカール８２が、図２５に示されるように骨のブロック２０を通って穿孔されることができる。トロカール（１個）８２（もしくは、１個以上のトロカールが使用される場合はトロカール（複数）８２）がその後、スリーブ７４（もしくはスリーブ７４、７６）から回収されうる。第一吸収性ロッド４０がその後、ロッド４０を、トロカールスリーブ７４を通って、骨のブロック２０を通って伸びる位置に滑動させることにより挿入される（図２６）。スリーブ７４が、その後、骨のブロック２０および大腿骨１２から回収されることができ、図２７に示されるように、第一吸収性ロッド４０を大腿骨１２中の正しい場所に残し、そして骨のブロック２０を通って伸びたままとする。
【００５６】
同様に、第二吸収性ロッド４４がその後、スリーブ７６を通って場所に滑動される。スリーブ７６がその後除去され、第二吸収性ロッド４４を、第一吸収性ロッド４０に沿って、図２８に示されるように、大腿トンネル１６中の正しい場所に骨のブロック２０を型締めするように骨のブロック２０を通って伸びたままとする。
【００５７】
ラック組立体５０に２個の分離可能な半分に二次成形されないガイド部材７０を提供することもまた可能であることが真価をみとめられるべきである。この状況において、ラックのＬ状部材５２が外科手術部位から回収されることになる場合（図２１および２２を参照）、ガイド部材７０は止めねじ７１をゆるめることによりＬ状部材５２から簡単に取りはずされ得る。ガイド部材７０はその後、スリーブ７４、７６が外科手術部位から回収されるまでスリーブ７４、７６の中心を離れた部分上に据付けられたままであり得、ガイド部材７０はスリーブ７４、７６の最後のものとともに除去される。
【００５８】
本発明はまた、図２９〜３３に具体的に説明される新規ラック組立体１００を使用しても実施されうる。ラック組立体１００はベース部分１０４およびアーム部分１０６を有するＬ状部材１０２を含んで成る。アーム部分１０６はベース部分１０４の横断方向に、そして好ましくはこれに垂直に伸びる。
【００５９】
ラック組立体１００はまた、そのベース端部１１０でベース部分１０４に連結されるカニューレ挿入スリーブ１０８も包含する。カニューレ挿入スリーブ１０８は、ねじ山もしくは止めねじ（示されない）またはプレス嵌めなどによるようにベース部分１０４のボア１１２中に保持されうる。カニューレ挿入スリーブ１０８は、実質的にスリーブ１０８の長さ全体を伸びるスロット１１４（図２９）を提供される。Ｌ状部材１０２のベース部分１０４はスロット１１６もまた提供され（図３０）、これはスロット１１４、１１６を相互との連絡に置くようにスリーブのスロット１１４と整列可能である。
【００６０】
トロカールスリーブガイド部材１２０はＬ状部材１０２のアーム部分１０６に除去可能に連結可能である。トロカールスリーブガイド部材１２０はそれを通って伸びるボア１２２を提供される。ボア１２２はカニューレ挿入スリーブ１０８の長手方向軸１２４の仮想的伸長に実質的に垂直に伸びる。止めねじ１２６（図３０）が、トロカールスリーブガイド部材１２０をアーム部分１０６上の正しい位置に解放可能に保持するのに使用されうる。Ｌ状部材１０２のアーム部分１０６上でのトロカールスリーブガイド部材１２０の位置ぎめにおいて補助するため、アーム部分１０６は、アーム部分１０６上の部材１２０の動きを制限するための停止部手段（示されない）を提供されうる。トロカールスリーブガイド部材１２０は、好ましくは、止めねじ１２７により一緒に解放可能に保持される２個の半分に二次成形され（図３０）、それによりトロカールスリーブガイド部材１２０は、下に論考されることができるように、ボア１２２を通って進むトロカールスリーブ１２８、１３０上に摺動可能に据え付けられ得るか、もしくはこれから取り外し可能であり得る。
【００６１】
第一および第二トロカールスリーブ１２８、１３０がボア１２２により受領され、その結果スリーブ１２８、１３０はボア１２２中で軸方向および回転可能に可動性である。２個のトロカールスリーブ１２８、１３０は、図１６および１７に示されるスリーブ７４と実質的に同一である。ラック組立体１００はスリーブ１２８、１３０中での配置のための１個もしくはそれ以上のトロカール１３２もまた包含する。トロカール１３２は図１５に示されるトロカール８２に実質的に同一である。上述の第一および第二吸収性ロッド４０、４４はスリーブ１２８、１３０を通って摺動可能である。
【００６２】
図３４〜４０は、ラック組立体１００が本発明を実施するのにどのように使用されうるかを具体的に説明する。
【００６３】
今や図３４を参照すれば、骨のトンネル１６および１８がそれぞれ大腿骨１２および脛骨１８中に形成され、そしてガイドワイヤ９０が骨のトンネル１６、１８を通って伸びることがみられることができる。ガイドワイヤ９０は、その後、骨のブロック２０に取付けられる縫合糸９６を、脛骨のトンネル１８を通りそして大腿トンネル１６中に上に引くのに使用され、その結果、骨のブロック２０が輪状ショルダー９２との嵌合にある（図３５）。骨のブロック２０は、大腿骨１２の上部から現れる縫合糸９６の部分で張力を維持することによりこの位置に保たれる。
【００６４】
縫合糸９６がその後、スロット１１４、１１６によってラック組立体のカニューレ挿入スリーブ１０８およびベース部分１０４中に導入される。カニューレ挿入スリーブ１０８がその後、カニューレ挿入スリーブの末端側端部が骨のブロック２０の上端を嵌合するまで（図３６）、除去されたガイドワイヤ９０により残された穴１３３を下に進められる（図３５および３６）。次に、第一トロカールスリーブ１２８がガイド部材のボア１２２を
通って伸び、そしてトロカール１３２がスリーブ１２８中に挿入される。あるいは、トロカール１３２は、第一トロカールスリーブ１２８がガイド部材のボア１２２に挿入される前に第一トロカールスリーブ１２８に挿入されうる。スリーブ１２８およびトロカール１３２がその後、一体として大腿骨１２に穿孔される。縫合糸９６を引くことによりショルダー９２に対して保持される骨のブロック２０を用い、スリーブ１２８およびトロカール１３２の組合せが骨のブロック２０を通って穿孔される（図３６）。類似の様式で、スリーブ１３０およびトロカール１３２（スリーブ１２８とともに使用される同一のトロカールもしくは別のトロカールのいずれか）がその後、図３７に示されるように、骨のブロック２０を通って穿孔される。
【００６５】
Ｌ状部材１０２およびカニューレ挿入スリーブ１０８がその後、外科手術部位から除去される。これは、最初に、トロカールスリーブガイド部材１２０をその２個の半分に分離するように止めねじ１２７（図３０）をゆるめること（これによりトロカールスリーブ１２８、１３０がガイド部材１２０から自由にされることができる）、そしてその後カニューレ挿入スリーブ１０８を上方向にかつ穴１３３から外へ滑動させることにより成し遂げられうる。いかなるトロカール１３２もその後除去され、図３８に示されるように、トロカールスリーブ１２８、１３０を、大腿骨１２中にかつ骨のブロック２０を横切って伸びたままとする。
【００６６】
第二吸収性ロッド４４がその後スリーブを通って滑動され、そしてスリーブ１３０が除去され（図３９）、そして第一吸収性ロッド４０がスリーブ１２８を通って滑動され、そしてスリーブ１２８が除去され、吸収性ロッド４０、４４を、正しい場所（図４０）で大腿トンネル１６中に型締めされた骨のブロック２０を保持したままとする。
【００６７】
縫合糸９６がその後、当該技術分野で公知の様式で骨のブロック２０を通って滑らされそして除去される。
【００６８】
本発明は、開示された本明細書のようなおよび／もしくは図面に示されるようなその出願に決して制限されないことが理解されるべきである。例えば、具体的に説明する目的上、ヒトの膝関節に関して、発明の方法および装置が本明細書に記述されかつ具体的に説明される。本明細書に記述される方法および装置はこうした操作に関してとりわけ有益であることができることが予測される。しかしながら、当業者により、本明細書に記述される方法および装置が、一般に哺乳動物に関して、また、例えば肩関節などのような他の骨に関して有用性を見出すこともまた真価をみとめられることができる。
【００６９】
さらなる例として、トロカール８２および１３２ならびにそれらの連合するスリーブそれぞれ７４、７６および１２８、１３０が、骨のブロック２０を通る部分路のみを進むことができるがしかしずっと全体ではないか；または、スリーブ７４、７６および／もしくはスリーブ１２８、１３０が骨のブロックを離れて停止されることができる一方、トロカール８２および／もしくは１３２が骨のブロック２０に貫通する。
【００７０】
さらに、トロカール８２および１３２は、骨を貫通するための鋭先端部をもつ堅固なロッドの形態であるとして本明細書に開示される。従って、例えば、トロカール８２および１３２は錐体の前点（ｆｒｏｎｔ  ｐｏｉｎｔ）をもつガイドワイヤもしくはＫワイヤを含みうる。しかしながら、あるいは、本発明は、捩り錐、すき形錐および／もしくは何らかの他の種の錐を含むトロカール８２および１３２を用いてもまた実施されうる。
【００７１】
また、トロカール８２および／もしくは１３２が、それらの連合するラック組立体それぞれ５０および１００とともに、しかしそれらの連合するスリーブそれぞれ７４、７６および１２８、１３０を伴わず使用されうることも企図される。この場合、最低１個のトロ
カールが、最低１個の吸収性ロッド４０、４４が骨のブロック中で位置を定められるまで骨のブロック２０中で常に位置を定められたままであることができた。
【００７２】
所望の場合は、本発明を、ただ１個のスリーブ７４および１個のトロカール８２、もしくはただ１個のスリーブ７６および１個のトロカール８２を使用して実施することもまた可能であり；また、本発明を、ただ１個のスリーブ１２８および１個のトロカール１３２、もしくはただ１個のスリーブ１３０および１個のトロカール１３２を使用して実施することが可能である。こうした状況において、スリーブ要素は骨のトンネル内の正しい位置に骨のブロックを保持するようはたらくとみられる一方、トロカールは骨のブロックを骨に最終的に保持することができるロッドにより置き換えられる。
【００７３】
本出願は、必ずしも吸収性でなくてもよい交差ピンを取付けること（ｓｅｔｔｉｎｇ）に関して有用性を有することができることもまた真価をみとめられるべきである。とりわけ、本発明は、交差ピン留めが骨および／もしくは骨のブロックを直接通過され得ない交差ピンについて達成されることが必要である場合はいつでも、例えば、交差ピンが骨および／もしくは骨のブロックを直接通過するのに柔軟すぎるもしくは砕けやすすぎるもしくは脆弱すぎることができる場合、または、交差ピンが、それらが骨および／もしくは骨のブロックを直接通過されることを困難もしくは不可能にする幾何学を有しうる場合に、有用性を有することができる。例として、本発明は、プラスチックおよび／もしくはセラミック材料から作成される交差ピンを取付けるのに使用されうるか、または、本発明は金属から作成された交差ピンを取付けるのに使用されうる。
【００７４】
加えて、多数の他の代替が、その最も幅広い局面において本発明の範囲内に企図される。
【００７５】
より具体的には、靭帯、腱などのような軟組織の一片の一部分を、それに取付けられる骨のブロックを伴わず骨のトンネル内に配置することが所望される多くの例が存在することが当業者により理解されることができる。これは、例えば、靭帯、腱などの補綴代用物が修復を遂げるために使用されるべきである場合、もしくは、移植片の一端に自然に取付けられる骨のブロックと一緒に患者の体内のどこかから修復移植片を収穫することが１個の理由もしくは別の理由から所望されない例において、起こりうる。
【００７６】
こうした場合、組織の片の一部分が単独で、上に論考された方法のいずれかにより骨のトンネル中に交差ピン留めされうる。とりわけ、図４１および４２に示されるように、骨のトンネル中に交差ピン留めされるべき組織１５２の片の部分１５０は、好ましくは、１回もしくはそれ以上それ自身の上で後ろに折り畳まれる。これがなされる場合、鋲止め縫合（ｔａｃｋｉｎｇ  ｓｔｉｔｃｈｅｓ）１５４が折り畳まれた組織の層１５６を一緒に保持するのに使用されうる一方、生じる塊１５０が上に論考された骨のトンネル中に骨のブロックを配置するのに使用された処置に類似の様式で骨のトンネル中に挿入されるかもしくは引かれる。その後、交差ピン留めが実質的に上に論考されたように進行し、その結果、ロッド１５８は、最終的に、組織塊を通って（図４１のファントム画法の線を参照）もしくは折り畳まれた組織層の間（図４２のファントム画法の線を参照）のいずれか、またはその双方を伸びる。
【００７７】
この代替において、組織１５２から側方へ、もしくはこれに沿って長手軸方向へのロッドおよび／もしくはスリーブおよび／もしくはトロカールの断裂（ｔｅａｒｉｎｇ）の機会が有意になりうる。これはとりわけ、修復が完全な治癒に先立ち実質的応力を受けることになる例で真実である。従って、組織１５２の部分１５０が骨のトンネル内に交差ピン留めされることを補強することがしばしば望ましい。これは当業者に公知の多数の方法で成し遂げられうる。代表的に図４３に示される１個のこうした代替は、骨のトンネル内に
交差ピン留めされるべきである組織１５２の部分１５０を「かがり縫いする」ことである。これは、ロッド１５８を受領するよう適合される、編組で囲まれた実質的に充実の塊１６０を創製し、かつ、「かがり縫い」を形成するのに使用されるような組織を通って伸びるコード状材料１６２の多数の通過の強さを加えて、上に言及された引裂（ｔｅａｒ−ｏｕｔ）の問題を緩和する。加えて、「かがり縫い」は外科医により十分に理解され、かつ行うことが比較的容易である。従って、この代替は、取付けられた骨のブロックを伴う組織移植片の収穫の間に生じうるある合併症を避け；外科的処置の間に骨のトンネルを嵌めるための骨のブロックの耳切り（ｔｒｉｍｍｉｎｇ）を避け；また、患者に対する最小限の付加された外傷を伴う、骨のトンネル中に組織を交差ピン留めするための単純、迅速かつ効率的な方法を提供する。
【００７８】
上に示されたように、前述の処置はまた、骨のトンネル中に人工移植片、すなわち身体から収穫されない人工的補綴具を含む移植片を固定するのにも使用されうる。こうした場合、交差ピン留めに先立ち、図４１〜４３に示される様式で、移植片を１回もしくはそれ以上それ自身の上に後ろに折り畳むことが望ましくてよいかもしくは望ましくなくてよい。
【００７９】
同様に、組織１５２の一片の一部１５０は、骨のトンネル１６４を完全に横切って生体吸収性ロッド１６３の位置を定めること、そしてその後、組織１５２の片の部分１５０を、骨のトンネルの開放端中に、ロッド１６３を取り巻いて、そして骨のトンネルの同一開放端から後ろに引くことにより、骨のトンネル中に固定されうる。より具体的には、図４４〜５１で最良にみられるように、骨のトンネル１６４を完全に横切る生体吸収性ロッド１６３の位置ぎめが、図１５〜１７に図解的に示されるもののようなトロカール／スリーブの組合せ１７１で最良に成し遂げられることが見出されている。これは、尖らせられたＫワイヤ、トロカールなどのような手段が、骨１６６を通り、骨のトンネル１６４を通り、そして骨のトンネル１６４の反対側の骨１６６中に開口部を形成する付随するスリーブなしで使用されるいかなる代替においても、穴を形成する装置を除去することおよびそれをロッド１６３で置き換えることが困難であるからである。典型的には、ロッド１６３は開口部１６８（図４９）および骨のトンネル１６４を容易に通過することができるが、しかしながら、それは、しばしば、骨のトンネル１６４の他の側に開口部１７０を配置しかつロッド１６３の前端部と嵌合させることと同じくらい容易ではない。
【００８０】
従って、本代替の実施において、トロカール／スリーブの組合せ１７１が、骨のトンネル１６４の長手方向軸１７２（図４４）に対し横断方向に、骨のトンネル１６４を完全に通り、そして骨のトンネル１６４の反対側の骨１６６中に、上に詳細に論考された様式で骨１６６中に穿孔されることが好ましい（図４４および４５を参照）。その後、トロカール１７１ａがスリーブ１７１ｂから除去され、そして、生体吸収性ロッド１６３が、骨のトンネル１６４を横切って伸びる位置を占めるようにスリーブ１７１ａに挿入される（図４６〜４８を参照）。スリ−ブ１７１ｂがその後骨１６６およびロッド１６３から除去され、ロッド１６３を、開口部１６８から、骨のトンネル１６４を完全に横切って、そして開口部１７０中に伸びるままとする（図４９を参照）。
【００８１】
処置のこの点において、もしくは所望の場合はより早期に、縫合糸１７３のような１本のコード状材料の一端１７５が組織１５２の片の一端１７４に固定される（図５０）。その１本のコード状材料１７３の他端１７６がその後、骨のトンネル１６４の開放端１７８中に、そしてそれからロッド１６３を取り巻いて、そしてその後骨のトンネル１６４の開放端１７８から戻って通される（図５０を参照）。最後に、コード状材料１７３の自由端１７６が、組織１５２の片の部分１５０を、骨のトンネル１６４の開放端１７８中に、生体吸収性ロッド１６３を取り巻き、そして骨のトンネル１６４の開放端１７８から引き戻すように引かれる。組織部分１５０は従って一般にＵ形をとり、その閉鎖端部を生体吸収
性ロッド１６３により骨のトンネル１６４中に摺動可能に固定させ、かつ、その自由端部を骨のトンネル１６４の同一開放端１７８から外側に伸ばさせる（図５１を参照）。
【００８２】
上に示されるように、前述の処置は、人工移植片、すなわち身体から収穫されない人工補綴具を含む移植片を骨のトンネル中に固定するのにもまた使用されうる。
【００８３】
なおさらに、実務において、骨のブロックが比較的堅固であることが見出されている。これは、骨のブロックが皮質から形成される場合に頻繁に真実である。加えて、とりわけ、骨１６６が皮質の実質層を含む場合に、骨１６６を通ってトロカール／スリーブの組合せを穿孔することは、ときに比較的困難でもまたあり得る。結果として、骨を通ってそして骨のブロック中におよび／もしくはこれを通ってトロカール／スリーブの組合せを穿孔することが困難であり得る（例えば図５５を参照）。加えて、この穿孔が成功して成し遂げられるとしても、骨のブロックは、例えば図５２および５３に示されるように破砕しうる。この点で、骨のブロックの破砕の可能性が、トロカール／スリーブの組合せの、そしてこれゆえに骨のブロックを通る生じる穴の直径を減少させることにより低下されうることが示されるが、しかし、これは順に、負荷が移植片靭帯に適用される場合にロッドの破損の可能性の増大につながりうる。
【００８４】
これらの問題を取り扱うための２個の代替が開発されている。
【００８５】
図５４で最良にみられるこれらの代替の第一において、解決策は、（１）骨のブロックはそれが張力においてであるより圧縮において有意により強い、また（２）より大きな直径のロッドは、骨のブロックの破砕が問題でない場合は骨のトンネル中のより強い骨のブロックの固定を提供することができる、という事実を利用する。とりわけ、骨のブロック２００は、実質的に盲の骨のトンネル２０４の実質的に閉鎖された端部２０２に配置され、その連合する組織移植片２０６は実質的に盲の骨のトンネル２０４の開放端２０８から外側に伸びる。ガイドホール２０１が、骨のブロック２００がコード様要素２０３により骨のトンネル２０４中に引かれる、もしくは上に論考されたように別の方法で骨のトンネル２０４中に配置されることを可能にするように骨のトンネル２０４の実質的に閉鎖された端部２０２を通って伸びうることが理解されることができる。骨のブロック２００を通る据付に適するロッドより直径が３０％と同じくらいより大きいロッド２０８が、その後、骨のブロック２００の手元側端部２１０に隣接する骨のトンネル２０４を完全に横切って配置される。この場合、ロッド２０８は、骨のトンネルを完全に通って伸びるロッドの上の組織の一片の一部を通すことに関して上述されたと同一の方法を利用して位置を定められる（図４４〜５１を参照）。また、ロッド２０８は、所望されるように、組織移植片２０８を通過しうるかもしくはしなくてもよい。結果は、骨のブロック２００が実質的に閉鎖されたトンネル端部２０２とロッド２０８との間で骨のトンネル２０６中に確実に固定されることである。
【００８６】
上述の代替の第二は、スリーブが骨のブロック中にもしくはこれを通って伸びる必要がない場合は有意により大きな直径のロッドが骨のトンネル中の骨のブロックの固定の強さの対応する増大とともに使用されうるという前提から進行する。この代替は図５６〜６３に代表的に示され、これらがとりわけ下に言及されることができる。
【００８７】
この場合、トロカール／スリーブの組合せ２１０（図１５〜１７および５５を参照）が、上に詳細に論考されたと同一の様式で皮膚を通りそして骨に穿孔され、また、骨のブロックは、多様な要素が一般に図２２に描かれるような配置に存するように骨のトンネル中に配置される。この点で、トロカールはスリーブから外され、骨のブロックが骨のトンネル中に上に引かれ（図２３）、そしてロッドが（ｉ）スリーブおよび（ｉｉ）スリーブの末端側端部と骨のトンネルとの間に配置された骨を通り、そしてその後骨のブロック中に
挿入される。
【００８８】
後者の挿入段階はいくつかの異なる方法のいずれか１個で成し遂げられうる。例えば、第二のより長いトロカール２１２ａ、２１２ｂが、スリーブ２１４ａ、２１４ｂのそれぞれに挿入されることができ、そして、スリーブ２１４ａ、２１４ｂの末端側端部２１８ａ、２１８ｂの間に配置される骨２１６を通って、そしてその後骨のトンネル２２０および骨のブロック２２２に穿孔されうる（図５７）かもしくは叩かれうる（図５８）かのいずれかである。その後、より長いトロカールの一方２１２が除去され（図５９）、そして、金属、プラスチック、セラミックもしくは生体吸収性のロッド２２４ａがスリーブを通って骨および骨のブロック中に挿入される（図６０）。これに、他のより長いトロカール２１２の除去（図６１）および第二スリーブを通っての骨および骨のブロック中への別のロッド２２４ｂの挿入（図６２）が続く。最後に、スリーブが患者から除去される（図６３）。
【００８９】
最後に論考された代替において、より長いトロカール２１２ａおよび２１２ｂは、一般に、例えば図２４に示される様式で段を付けられる。より具体的には、より長いトロカール２１２ａは、一般に、それらの手元側部分２３２より小さい横断方向断面直径を有する末端側部分２３０を包含し、そして、それらの手元側および末端側部分の接合部で末端側に面する放射状（ｒａｄｉａｌ）ショルダー２３４を規定する。こうして、スリーブの末端側端部を越えるトロカールの貫通の程度は、より長いトロカールの末端側部分の軸方向長さを予め選択することにより制御される。より具体的には、より長いトロカールは、スリーブの末端側端部を越えて、それらの末端側に面する放射状ショルダーがスリーブの末端側端部の骨もしくはスリーブ側壁上に形成される放射状に配備される内側突起２３６のいずれかを嵌合する点へのみ貫通することを可能にされる（図６５）。
【００９０】
あるいは、剛性ロッド２２４ａ、２２４ｂが、スリーブ２１４ａ、２１４ｂを通り、スリーブと骨のトンネル２２０との間に配置された骨２１６を通り、そしてその後骨のブロック２２２中に直接駆動されうる。これは、好ましくは、ロッド２２４ａ、２２４ｂの末端側端部を尖らせるもしくは丸めること、ロッドをスリーブ２１４ａ、２１４ｂに挿入すること、そしてプランジャー軸２３８および叩く手段２４０を使用して骨を通る位置にそして骨のブロック中にロッドを駆動することにより成し遂げられうる（図６６）。
【００９１】
図１５〜１７および５５に示されるインターロックトロカール／スリーブ組立体において、その末端側に伸びるトロカールの尖った末端側端部２２４の手元側にスリーブの末端側端部により形成される放射状ショルダー２４２（図５５）が、骨中へのインターロックされたトロカール／スリーブの組合せの通過に有意の妨害となり得ることがさらに見出されている。事実、実務において、このショルダーは、通常は放射状厚さが約０．０５ないし０．１０インチのみとは言え、トロカール／スリーブの組合せが骨のトンネルに向かって骨を通って前進される際に骨の火傷を引き起こすことが示されている。この問題を是正するため、スリーブの末端側端部２４２は、隣接するトロカール点２４４のものに実質的に等しい角度で斜角を付けられ得る（図６７を参照）。しかしながら、これは、斜角をつけられた縁およびトロカール点の形成での当該技術で普遍的に許容できる機械加工耐性の変動のゆえに好ましくない。とりわけ、トロカール点の斜角を付けられたスリーブとの正確なかみ合いの機会は見込みがない。これゆえに、骨の火傷の問題、およびより一般的には骨へのトロカール／スリーブの組合せの貫通に対する抵抗性の問題は、図５５の態様におけるよりおそらくより小さな程度であるが、図６７に示される態様でなお存在する。
【００９２】
この基礎的問題を解決するため、スリーブ２４８の末端側端部２４６は、スリーブの長手方向軸２５２に垂直に配置される面２５０に関して手元側におよそ１５°の角度で斜めにされるべきであることが見出された（図６８を参照）。トロカール／スリーブ組立体の
生じる構築において、トロカール点２５６は以前に記述されたと同一の様式で骨に穿孔する一方、スリーブ２４８の斜めにされた末端側端部２４６は、トロカールにより形成されている穴を囲む骨に対して平坦部を回転する代わりに、トロカール点により形成される穴の側壁に切り込む。実務的問題として、この代替は、本明細書に記述される方法および装置の使用の容易さがそれらの商業的有用性に影響を及ぼす限りは有意に重要であることが考えられる。使用の間に骨を結合するおよび／もしくは火傷させる傾向を表さない骨ドリルは、使用の間に骨を結合するもしくは火傷させる骨ドリルより有意により望ましい。
【００９３】
従って、現在、本発明を実施する好ましい一方法は、以下の段階すなわち
（１）最低２個の、図６８に描かれる型のトロカール／スリーブ組立体を、図２２に示されるものに類似の位置に骨に穿孔すること（注意：これは、単一のトロカールを各スリーブと連続的にかつ別個にかみ合わせること、そしてその組立体を骨に穿孔することにより成し遂げられうる）；
（２）トロカール（１個もしくは複数）を、スリーブを皮膚を通りそして骨中に伸びるがしかし骨のトンネルを横切らないままにするようにスリーブから除去すること；
（３）ラック組立体（図２１の要素５２を参照）をスリーブおよび骨のトンネルから除去すること；
（４）骨のブロックを骨のトンネル中でスリーブの軸方向突起との整列に配置すること；（５）第一の長い段付トロカール（図６４を参照）を使用して、第一スリーブの末端側端部と骨のトンネルの間の骨を通り、骨のブロックを通り、そして骨のトンネルの反対側の骨に予め選択された距離を穿孔すること；
（６）骨および骨のブロックを通って伸びる第一の長い段付トロカールとともに、第二の長い段付トロカールを使用して、第二スリーブの末端側端部と骨のトンネルとの間の骨を通り、骨のブロックを通り、そして骨のトンネルの反対側の骨に予め選択された距離を穿孔すること；
（７）第二トロカールを、骨、骨のブロックおよび第二スリーブから除去すること；
（８）（生体吸収性もしくは非生体吸収性の材料の）剛性ロッドを、第二スリーブを通って、それが骨のブロックを通って伸びかつ第二の長い段付トロカールにより形成されるような骨のトンネルの反対側の開口部を嵌合する位置に挿入すること；
（９）第一トロカールを、骨、骨のブロックおよび第一スリーブから除去すること；
（１０）（生体吸収性もしくは非生体吸収性の材料の）別の剛性ロッドを、第一スリーブを通って、それが骨のブロックを通って伸びかつ第一の長い段付トロカールにより形成されるような骨のトンネルの反対側の開口部を嵌合する位置に挿入すること；
（１１）第一および第二スリーブを患者から除去すること、を包含することが理解されることができる。
【００９４】
最後に挙げられた代替はまた、上述の交差ピン留め装置に対するある改変の使用のための有利な設定も提供する。例えば、カニューレ挿入スリーブ５８が、周囲の骨に穿孔されているトロカール／スリーブ組立体の横断方向に骨のトンネル中の位置に適合された拡大頭部６２を有する、上で論考されたラック組立体の態様において（図１９〜２１）、それを通る窓２６０を規定する扁平頭部２５８（図６９）が拡大頭部６２の代わりに使用されうる。こうした場合には、扁平頭部２５８は、骨に穿孔されているトロカール／スリーブ組立体２６４の軸方向突起に対し横断方向の平面で骨のトンネル２６２を実質的にかつ完全に横切って伸びるとみられる。さらに、窓２６０は、トロカール／スリーブ組立体（もしくはトロカール単独）が、骨のトンネル中に、カニューレ挿入スリーブ２６６の頭部の窓２６０を通り、そしてその後骨のトンネルの反対側の骨に貫通し得るように配置されるとみられる。
【００９５】
より具体的には、図６９に示されるように、本発明のこの態様は、骨のトンネルの側壁に完全に相対する開口部を形成することが望ましいいかなる状況においても有用である。
こうした状況の特定の例は、スリーブの長さならびにロッドの長さおよび剛性が、それらがそのドリル手段進入側から骨のトンネルに進入するロッドが骨のトンネルの他の側の開口部との整列に維持されかつこれを嵌合することができることを確実にするために頼られうるようであるものを包含する。かように、剛性ロッドが骨のトンネル中の物体を通過される、上で挙げられた場合は、この代替を有益と見出しうる。
【００９６】
最後に、上で論考されるインターロックトロカール／スリーブ組立体は、骨のトンネル中の物体の交差ピン留めを越える多数の他の用途を有することが理解されるべきである。こうした具体的に説明する一用途は、骨折修復処置が完了された後に折れた骨の所望の治癒関係での維持において補助するように骨折を横切る吸収性もしくは非吸収性のピンの配置においてである。図７０〜７４に描かれるように、この方法は、トロカール／スリーブ組立体を骨中の所望の位置に穿孔すること、トロカールを除去すること、ロッドをスリーブに挿入すること、そしてその後スリーブを骨およびロッドから除去することの、今や十分に理解された段階を随伴する。
【００９７】
本発明の装置および概念の他の具体的に説明する用途は、とりわけ、骨の内部からの組織の除去、および／または他の装置もしくは補綴、薬物、骨移植片材料、代用骨髄などのような他のものの骨の内部への送達を包含しうる。
【００９８】
本発明の多数のさらなる変動、代替、改変および他の派生物が存在することができ、および／もしくは本発明の好ましい態様の前述の詳細な記述のゆえに当業者に明らかとなることができる。従って、前述の明細および付属としてつけられる図面は具体的に説明するのみであることが意図され、かつ、本発明の制限として意図されないことが理解されるべきである。
【００９９】
実施態様は次のとおりである。
【０１００】
１．骨の中の骨のトンネル内に骨のブロックを固定するための方法であって、
骨の中に骨のトンネルを形成し、前記骨のトンネルは開口端部、骨のブロックを入れるような寸法にされた横断方向直径を有する前記開口端部に隣接した部分及び骨の内部に置かれ少なくも部分的に閉鎖された端部を備え、
一方の端部が前記骨のトンネルの少なくも部分的に閉鎖された端部と実質的に隣接して配置されように骨のブロックを前記骨のトンネル内に置き、
ドリル手段が骨のトンネルと交差しかつこのトンネルを通って伸びるようにドリル手段を骨のトンネルを横切る方向で骨を通して前進させ、そして骨のブロックの他方の端部と実質的に隣接する骨の中に戻し、そして
骨からドリル手段を取り去ってドリル手段をロッドで置き換え、
これにより骨のブロックを前記少なくも部分的に閉鎖された端部と前記ロッドとの間で前記骨のトンネル内に保持する
前記方法。
【０１０１】
２．前記ロッドが生体吸収性の物質より形成される実施態様１の方法。
【０１０２】
３．前記生体吸収性物質が、ポリ乳酸、ポリグリコール酸及びポリジアキサノンよりなるグループから選定される実施態様２の方法。
【０１０３】
４．前記ロッドが、実質的に強固な金属、プラスチック及びセラミックよりなるグループから選定された物質より形成される実施態様１による方法。
【０１０４】
５．前記ドリル手段が、トロカール及びトロカールスリーブを組み合わせて備え、そして前記取出し及び置換の段階が、前記スリーブから前記トロカールを取り出しこれにより前記スリーブを前記骨の中に伸びかつ前記骨のトンネルを横切って残し、前記スリーブの末端側端部と隣接した前記骨と前記ロッドの一方の端部とが組み合うように前記ロッドを
前記スリーブ内に差し込み、そして前記ロッド及び前記骨から前記スリーブを取り去り、これにより前記骨の中の前記ロッドを、前記骨のブロックの前記他方の端部と実質的に隣接する前記骨のトンネルを横切って伸びて残す実施態様１の方法。
【０１０５】
６．前記骨のブロックがこれに取り付けられたある長さの組織を有し、これは前記骨のブロックが中に置かれたとき前記骨のトンネルの前記開口端部から外側に伸び、そして前記ロッドは前記骨のトンネルを横切って配置されたとき前記ある長さの組織を貫通しない実施態様１の方法。
【０１０６】
７．前記骨のブロックがこれに取り付けられたある長さの組織を有し、これは前記骨のブロックが前記骨のトンネル内に置かれたとき前記骨のトンネルの前記開口端部から外側に伸び、そして前記ロッドは前記骨のトンネルを横切って配置されたとき前記ある長さの組織を貫いて伸びる実施態様１の方法。
【０１０７】
８．骨の中のエレメントを配備する方法であって、
末端側端部、手前側端部及び長手方向の長さを有する中空スリーブを備えたトロカールとトロカールスリーブとの組合せを調製し、ここに前記スリーブの内部は前記手前側端部と前記末端側端部との間の実質的に円筒状の長手方向通路を定め、更に前記通路の側壁の両側に１対の溝を有し、前記溝は、それぞれ、前記スリーブの前記手前側端部から、前記スリーブの前記末端側端部より間隔を空けられた両側の閉鎖端部に伸び、更に
トロカールは、前記通路内に摺動可能に入れられるようにされた横断方向断面、骨の中に穿孔するようにされた尖った末端側端部、及び両側の１対の突起を有する軸を備え、前記突起は、前記軸が前記通路内に置かれたとき、前記溝の中に摺動可能に入れられ、かつ前記軸の前記末端側端部から前記溝の閉鎖端部までの長手方向間隔に関する前記尖った端部から前記突起までの長手方向距離のため前記尖った端部が前記末端端部から出る長さが限定され、
これにより前記トロカールが前記通路内に挿入されたとき、得られたトロカールとトロカールスリーブとの組合せは一体として回転できかつ骨の中に末端方向向きに穿孔でき更に前記トロカールを前記スリーブより手前側方向に滑らせて抜き出すことができ、
前記トロカールとトロカールスリーブとの組合せで骨の中に穿孔し、
前記トロカールスリーブから前記トロカールを抜き出し、
前記エレメントを前記スリーブの前記通路を通して前記骨の中に挿入し、そして
前記スリーブを前記エレメント及び前記骨から取り出す
諸段階を包含した前記方法。
【０１０８】
９．第１の横断方向断面を持った末端側部分及び第２の横断方向断面を持った手前側部分を有する第２のトロカールであって、前記第１の横断方向断面は前記第２の横断方向断面より小さく、更に前記第１及び第２の横断方向断面の接合部に末端方向に面するショルダーを有する前記第２のトロカールを調製し、そして
前記トロカールを抜いた後でかつ前記エレメントの挿入より前に、前記ショルダーが前記スリーブの前記末端側端部において前記骨に当たるように、前記トロカールの前記手前側部分と実質的に等しい長手方向長さを前記スリーブの末端側端部において骨の中に前記第２のトロカールで穿孔する諸段階を更に含む実施態様８の方法。
【０１０９】
１０．前記スリーブを通りかつ前記スリーブの前記末端側端部において前記骨の中に入る前記第２のトロカールの長手方向移動を更に限定するように、前記スリーブを通る長手方向通路が前記トロカールのショルダーと組み合うようにされた内部停止部手段を有する実施態様９の方法。
【０１１０】
１１．前記骨が骨のトンネルを定め、前記トロカールとトロカールスリーブとの組合せは前記骨のトンネルを横切る方向で前記骨に進入するが前記骨のトンネル内には入らず、骨のブロックは前記トロカールとトロカールスリーブとの組合せと軸方向で揃って前記骨のトンネル内に置かれ、そして前記第２のトロカールが前記スリーブの末端側端部と前記
骨のトンネルとの間で骨を通り更に前記骨のブロック内に貫通し、更に前記エレメントがロッドを有する実施態様９の方法。
【０１１１】
１２．前記エレメントが実質的に強固なロッド、薬物、補綴材料及び代用組織よりなるグループから選定される実施態様９の方法。
【０１１２】
１３．前記ロッドが生体吸収性物質より形成される実施態様１１の方法。
【０１１３】
１４．前記生体吸収性物質がポリ乳酸、ポリグリコール酸及びポリジアキサノンよりなるグループから選定される実施態様１３の方法。
【０１１４】
１５．前記ロッドが、実質的に強固な金属、プラスチック及びセラミックよりなるグループから選定された物質より形成される実施態様１１の方法。
【０１１５】
１６．前記第２のトロカールが前記骨のブロックを通って貫通し前記骨の中に戻る実施態様１１の方法。
【０１１６】
１７．前記第２のトロカールが前記骨のブロックを全部は通過しない実施態様１１の方法。
【０１１７】
１８．前記骨は整復された骨折（ｒｅｄｕｃｅｄ  ｆｒａｃｔｕｒｅ）を有し、前記エレメントは強固なロッドを有し、そして前記トロカールとトロカールスリーブとの組合せは前記整復された骨折を横切って伸びる実施態様１１の方法。
【０１１８】
１９．骨のトンネルにおいて移植片の一部分を固定する方法であって、
トロカールとトロカールスリーブとの組合せが骨を通りかつ骨のトンネルを横切って伸びるように、前記トロカールとトロカールスリーブとの組合せを中に形成された骨のトンネルを横切る方向で骨の中に前進させ、
前記トロカールスリーブから前記トロカールを抜き出し、
前記スリーブを経て前記骨の中に吸収性ロッドを挿入し、前記骨のトンネルを横切って伸びている前記吸収性ロッドを残すように前記スリーブを引き抜き、
ある長さのコード状材料の一方の端部を前記骨のトンネル内に置くべき部分に隣接して前記移植片に取り付け、
前記ある長さのコード材料の他方の端部を前記骨のトンネルの開口端部内に通し、前記骨のトンネルを横切って伸びている前記吸収性ピンをまわり、そして前記骨のトンネルの前記開口端部から出して戻し、更に
前記移植片の前記部分を前記骨のトンネルの前記開口端部内に引くように前記コード状材料の前記他方の端部を引き、前記骨のトンネルを横切って伸びている前記吸収性ピンをまわり、そして前記骨のトンネルの前記開口端部から出して戻し、
これにより前記骨のトンネルの前記開口端部から外に伸びている前記組織片の部分の確保によりこの中に固定するために前記移植片の前記部分が前記骨のトンネル内で前記吸収性ピンの上で輪にされる
諸段階を包含した前記方法。
【０１１９】
２０．前記生体吸収性ロッドがポリ乳酸、ポリグリコール酸及びポリジアキサノンよりなるグループから選定される実施態様１９の方法。
【０１２０】
２１．骨における骨のトンネル内に骨のブロックを固定する方法であって、
骨のトンネル内に堅い骨のブロックを置き、
少なくも１個のトロカールとトロカールスリーブとの組立体の末端側端部を前記骨のトンネルの側壁に近い前記骨内に定着させるように前記少なくも１個のトロカールとトロカールスリーブとの組立体を骨のトンネルを横切る方向で骨の中に進め、前記少なくも１個の組立体のトロカールはその組み合わせられたトロカールスリーブ内に配置されかつこれを実質的に満たしており、
前記少なくも１個のトロカールとトロカールスリーブとの組立体から前記トロカールを引き抜き、そして前記少なくも１個のスリーブ内にロッドを挿入し、
長い軸の一方の端部を前記ロッドに当たるように前記スリーブ内に滑らせて挿入し、
前記ロッドを前記スリーブから出して前記骨を通りそして前記骨のブロック内に駆動するように前記長い軸の他方の端部を叩く
諸段階を包含した前記方法。
【０１２１】
２２．前記骨のトンネル内に骨のブロックの代わりに組織片が固定される実施態様２１の方法。
【０１２２】
２３．前記ロッドが前記骨のブロックを通って貫通する実施態様２１の方法。
【０１２３】
２４．前記ロッドが前記骨のブロックを全部は貫通しない実施態様２１の方法。
【０１２４】
２５．前記ロッドの挿入された端部が実質的に尖らされる実施態様２１の方法。
【０１２５】
２６．前記ロッドが生体吸収性材料より形成される実施態様２１の方法。
【０１２６】
２７．前記生体吸収性物質がポリ乳酸、ポリグリコール酸及びポリジアキサノンよりなるグループから選定される実施態様２６の方法。
【０１２７】
２８．前記ロッドが実質的に堅い金属、プラスチック及びセラミックから構成されるグループから選定される実施態様２１の方法。
【０１２８】
２９．治療のために、骨の整復された骨折を定位置に維持する方法であって、
少なくも１個のトロカールとトロカールスリーブとの組合せを、整復された骨折の一方の側の骨を通過し、整復された骨折を横切り、そして前記整復された骨折の別の側の骨の中に進め、前記少なくも１個のトロカールとトロカールスリーブとの組立体の各のトロカールはその組み合わせられたスリーブを実質的に満たしており、
前記少なくも１個のトロカールとトロカールスリーブとの組立体から前記トロカールを抜き出し、
ロッドを、少なくも１個のスリーブを通過して前記整復された骨折の前記他方の側の前記骨の中に挿入し、そして
前記整復された骨折を横切って伸びている前記骨の中の前記ロッドを残すように前記少なくも１個のスリーブを前記骨及び前記ロッドから抜き出す
諸段階を包含した前記方法。
【０１２９】
３０．骨の内部に材料を送達させる方法であって、
少なくも１個のトロカールとトロカールスリーブとの組合せを骨の内部に進め、前記少なくも１個のトロカールとトロカールスリーブとの組立体のトロカールはその組み合わせられたスリーブを実質的に満たしており、
前記少なくも１個のトロカールとトロカールスリーブとの組立体から前記トロカールを抜き出し、
前記少なくも１個のスリーブを通して前記骨の内部に前記材料を送達し、そして
前記少なくも１個のスリーブを前記骨から抜き出す
諸段階を包含した前記方法。
【０１３０】
３１．骨のトンネル内に骨のブロックを固定する方法であって、
ベース部分及び前記ベース部分を横切る方向に伸びているアーム部分を有するＬ状部材、一方の端部が前記Ｌ状部材の前記ベース部分に解放可能に連結されそして他方の端部が前記ラック組立体を前記骨のブロックの意図された固定位置に関して整列させるように前記骨のトンネル内に配置されたカニューレ挿入スリーブ（ｃａｎｎｕｌａｔｅｄ  ｓｌｅｅｖｅ）、骨のトンネル内の前記骨のブロックの意図された固定位置を横切る角度で貫通穴が配置されるように前記Ｌ状部材の前記アーム部分に取り外し可能に連結されたトロカールスリーブ案内部材、前記穴の中にそれぞれ動き得るように配置された第１及び第２のトロカールであって、少なくも１個のトロカールが前記トロカールスリーブ内に動き得るように配置され、前記少なくも１個のトロカールはこれが配置されたトロカールスリーブと相互連結ができ、各前記トロカールは、前記少なくも１個のトロカールが中に置かれたとき、前記相互連結されたトロカールとトロカールスリーブとが骨の中に穿孔するように、前記骨の部材の意図された固定位置に向かって軸方向に可動でありかつ前記トロカールとともに回転可能であり、前記少なくも１個のトロカールは前記トロカールスリーブからそれぞれ除去可能である前記第１及び第２のトロカールスリーブ、及び前記トロカールスリーブ内に滑り込むロッドを備えたラック組立体を調製し、
骨のトンネル内のその整列位置にある前記カニューレ挿入スリーブ及び前記アームに連結された前記スリーブ案内部材により、前記トロカールとトロカールスリーブとの組立体を前記骨の中に進めるが前記骨のトンネル内には進めず、
前記少なくも１個のトロカールを前記トロカールとトロカールスリーブとの組立体から抜き出し、
前記カニューレ挿入スリーブを前記骨のトンネルから、また前記第１及び第２のスリーブを前記スリーブ案内から抜き出し、
骨のブロックを、前記骨に配置された第１及び第２のスリーブの軸方向突出と揃えて骨のトンネル内に置き、
第１の長いトロカールを調製し、前記第１のトロカールを、前記第１のスリーブを通し、第１のスリーブの末端側端部と骨のトンネルとの間に位置する骨を通し、そして骨のブロック内に進め、
第２の長いトロカールを調製し、前記第２のトロカールを、前記第２のスリーブを通し、第２のスリーブの末端側端部と骨のトンネルとの間に位置する骨を通し、そして骨のブロック内に進め、
前記第２の長いトロカールを前記骨のブロック、前記骨及び前記第２のスリーブから抜き出し、
堅いロッドを、前記第２のスリーブを通して前記骨及び前記骨のブロック内に挿入し、
前記第１の長いトロカールを前記骨のブロック、前記骨及び前記第１のスリーブから抜き出し、
別の堅いロッドを、前記第１のスリーブを通して前記骨及び前記骨のブロック内に挿入し、更に
前記第１及び第２のスリーブを前記骨から抜き出す
諸段階を包含した前記方法。
【０１３１】
３２．前記カニューレ挿入スリーブは、その端部に、前記骨のトンネル内に配置するようにされた貫通窓を定めている実質的に平坦な部分を有し、前記平坦部分は前記トロカールとトロカールスリーブとの組立体の前記軸方向突起と直角な平面内に配置され、前記カニューレ挿入スリーブが前記骨のトンネルから抜き出されるより前に、前記長いトロカールが、前記スリーブを通り、前記スリーブの末端側端部と前記骨のトンネルとの間の骨を通り、更に前記平坦部分の前記窓を通り進められる実施態様３１の方法。
【０１３２】
３３．骨における通路の形成に使用するトロカールとトロカールスリーブとの組立体であって、
軸、末端の穿孔用尖端部及び前記末端側尖端部から手前方向に予定の長手方向距離において前記軸から半径方向に伸びている少なくも１個の突起を備えたトロカール、及び
末端側端部及び前記末端側端部と手前側端部との間を伸びている長手方向の穴を定めている手前側端部、及び前記スリーブの前記手前側端部から前記スリーブの前記末端側端部から手前方向に予定の長手方向距離に置かれた閉鎖された末端側端部に伸びている前記穴の側壁の少なくも１個の長手方向の溝を有するトロカールスリーブ
を備え、
前記トロカールは前記少なくも１個の半径方向突起が前記少なくも１個の長手方向の溝と摺動組合して前記スリーブの前記穴と摺動組合するようにされ、更に前記予定の長手方向距離は、前記少なくも１個の半径方向突起が前記少なくも１個の長手方向の溝と組み合ったときに、前記トロカールの前記末端の穿孔用尖端部が前記スリーブの前記末端側端部より突き出すような距離であり、
これにより前記トロカール及び前記トロカールスリーブは一体で回転しかつ末端向きの長手方向運動をするように互いに解放可能に連結される
前記組立体。
【０１３３】
３４．スリーブの末端が、その内側エッジから外側エッジに、スリーブの長手方向軸線に関してある角度で斜めにされ、前記角度は末端の穿孔用尖端部がトロカールの長手方向軸線に関して配置される角度と実質的に等しい実施態様３３の組立体。
【０１３４】
３５．スリーブの末端の側端部はスリーブの長手方向軸線に対して約１５゜の末端方向向きの角度に置かれた面内に配置され、更にトロカールの末端の穿孔用尖端部は、スリーブと完全に組み合ったときに、スリーブの末端側端部の最も先方の部分より末端方向に伸
びる実施態様３３の組立体。
【０１３５】
３６．前記トロカールとトロカールスリーブとの組立体が骨の中に位置決めされた後に前記トロカールに代わって使用する第２の長いトロカールを更に備え、前記第２の長いトロカールは第１の横断方向断面を有する末端側部分、前記第１の横断方向断面より大きい第２の横断方向断面を有する手前側部分、及び前記末端部分と前記手前側部分との接合部において末端側に向いているショルダーを備え、前記ショルダーは、前記第２のトロカールの前記骨の中への貫通の深さを限定するために、第２のトロカールがスリーブを通って骨の中に進められたときにスリーブの末端側端部において骨と組み合うようにされている実施態様３３の組立体。
【０１３６】
３７．骨の中に物体又は材料を置くための外科用キットであって、
少なくも２個のトロカールスリーブ、前記スリーブと共に一体で回転しかつこれと共に長手方向に運動するために前記スリーブと解放可能に相互連結し得るようにされた少なくも１個のトロカール、前記スリーブを通り骨の中に摺動可能に回転運動するようにされた少なくも１個の長い段付きのトロカール、前記物体及び／又は材料を挿入し得る通路を提供するために前記スリーブとトロカールとが骨を貫通する角度を管理するようにされたラック組立体、及び前記スリーブ及びトロカールにより形成された通路を経て前記骨の中に前記物体及び／又は材料を通過させるようにされたプランジャー及び叩き手段
を備えた前記キット。
【０１３７】
３８．前記移植片が、人体から採取された組織を含む実施態様１９の方法。
【０１３８】
３９．前記移植片が、人体から採取されない人工の補綴具を含む実施態様１９の方法。
【０１３９】
４０．皮膚により覆われた骨の中の骨のトンネル内に人工の補綴具の部分を固定する方法であって、
骨のトンネル内に人工の補綴具の部分を置き、
トロカールとスリーブとの組立体を、皮膚を通し、人工の補綴具の部分と交差するように骨のトンネルを横断して骨を通し、そして少なくも部分的にこれを通して伸びるように進め、前記組立体のトロカールは前記組立体のスリーブ内に配置されており、
スリーブからトロカールを引き抜き、
ロッドを、スリーブを通し皮膚を通して人工の補綴具の部分内に進め、そして
骨及び人工の補綴具の中にロッドを残すようにスリーブを引き抜き、これにより人工の補綴具の部分を骨のトンネル内に保持する
諸段階を包含した前記方法。
【図面の簡単な説明】
【０１４０】
【図１】その中に形成された適切な骨のトンネルおよび当該トンネルの一に配置される靭帯の骨のブロックを伴うヒトの膝関節の概略の断面図である。
【図２】図１に類似であるが、しかし発明の方法の金属ワイヤ挿入相を具体的に説明している。
【図３】図２に類似であるが、しかし金属ワイヤ挿入相の完了を具体的に説明している。
【図４】図３に類似であるが、しかし第一金属ワイヤ回収（ｗｉｔｈｄｒａｗａｌ）相を具体的に説明している。
【図５】図４に類似であるが、しかし第一吸収性ロッド挿入相を具体的に説明している。
【図６】図５に類似であるが、しかし完全に挿入されている第一吸収性ロッドを具体的に説明している。
【図７】図６に類似であるが、しかし第二金属ワイヤ回収相を具体的に説明している。
【図８】図７に類似であるが、しかし第二吸収性ロッド挿入相を具体的に説明している。
【図９】図８に類似であるが、しかし発明の方法の吸収性ロッド挿入相の完了を具体的に説明している。
【図１０】本発明の一態様を具体的に説明する、骨のトンネル中の骨のブロックの交差ピン留め（ｃｒｏｓｓ−ｐｉｎｎｉｎｇ）のためのラック組立体の一形態の側面姿図である。
【図１１】図１０のラック組立体の底面図である。
【図１２】図１０および１１のラック組立体のトロカールスリーブガイド部材部分の底面図である。
【図１３】トロカールスリーブガイド部材の側面姿図である。
【図１４】トロカールスリーブガイド部材の前面姿図である。
【図１５】図１０のラック組立体のトロカール部分の断続的側面姿図である。
【図１６】図１０のラック組立体のトロカールスリーブ部分の切断されかつ部分的に断面の断続的側面姿図である。
【図１７】図１６のトロカールスリーブ部分の端面図である。
【図１８】ヒトの膝関節の概略図でありかつ図１０のラック組立体が使用される一方法での一段階を具体的に説明している。
【図１９】図１０のラック組立体の使用における一連の段階を具体的に説明する概略図である。
【図２０】図１０のラック組立体の使用における一連の段階を具体的に説明する概略図である。
【図２１】図１０のラック組立体の使用における一連の段階を具体的に説明する概略図である。
【図２２】図１０のラック組立体の使用における一連の段階を具体的に説明する概略図である。
【図２３】図１０のラック組立体の使用における一連の段階を具体的に説明する概略図である。
【図２４】図１０のラック組立体の使用における一連の段階を具体的に説明する概略図である。
【図２５】図１０のラック組立体の使用における一連の段階を具体的に説明する概略図である。
【図２６】図１０のラック組立体の使用における一連の段階を具体的に説明する概略図である。
【図２７】図１０のラック組立体の使用における一連の段階を具体的に説明する概略図である。
【図２８】図１０のラック組立体の使用における一連の段階を具体的に説明する概略図である。
【図２９】本発明の代替の一態様を具体的に説明する別の形態のラック組立体の側面姿図である。
【図３０】図２９のラック組立体の底面図である。
【図３１】図２９のラック組立体のトロカールスリーブガイド部材部分の底面図である。
【図３２】トロカールスリーブガイド部材の側面姿図である。
【図３３】トロカールスリーブガイド部材の前面姿図である。
【図３４】図１８のものに類似の図である。
【図３５】図２９のラック組立体の使用における一連の段階を具体的に説明する概略図である。
【図３６】図２９のラック組立体の使用における一連の段階を具体的に説明する概略図である。
【図３７】図２９のラック組立体の使用における一連の段階を具体的に説明する概略図である。
【図３８】図２９のラック組立体の使用における一連の段階を具体的に説明する概略図である。
【図３９】図２９のラック組立体の使用における一連の段階を具体的に説明する概略図である。
【図４０】図２９のラック組立体の使用における一連の段階を具体的に説明する概略図である。
【図４１】移植片の靭帯、腱などの側面姿図であり、移植片の一端がそれ自身の上に後ろに折り畳まれかつ正しい位置に鋲で縫合され（ｔａｃｋ−ｓｔｉｔｃｈｅｄ）、また、組織を通って伸びるロッドがファントム画法（ｐｈａｎｔｏｍ）で示される。
【図４２】図４１に類似の側面姿図であり、移植片の靭帯、腱などはそれ自身の上に後ろに折り畳まれ、また、移植片の隣接するひだの間を伸びるロッドがファントム画法で示される。
【図４３】図４２に類似の側面姿図であり、折り畳まれた組織は一緒に「かがられて（ｗｈｉｐ  ｓｔｉｔｃｈｅｄ）」おり、また、かがられた組織を通って伸びるロッドがファントム画法で示される。
【図４４】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図４５】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図４６】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図４７】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図４８】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図４９】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図５０】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図５１】骨の中にそしてその中の骨のトンネルを通ってトロカール／トロカールスリーブの組合せを前進させること、トロカールを除去すること、スリーブ中にかつ骨のトンネルを横切ってロッドを挿入すること、スリーブを除去すること、そして骨のトンネルを横切って配置されたロッドを取り巻いて組織移植片の一端を引くこと、の段階を示す、具体的に説明する断面の側面姿図である。
【図５２】それを通る交差ピンの設置の間もしくはその後に骨のブロックがどのように破砕しうるかの２個の可能な例を示す、代表的な骨のブロックの具体的に説明する側面姿図である。
【図５３】それを通る交差ピンの設置の間もしくはその後に骨のブロックがどのように破砕しうるかの２個の可能な例を示す、代表的な骨のブロックの具体的に説明する側面姿図である。
【図５４】部分的に閉鎖された終端された骨のトンネル中に配置されかつ骨のブロックと骨のトンネルの開放端との間を骨のトンネルを横切って伸びるロッドにより正しい位置に固定される、骨のブロックの具体的に説明する断面の側面姿図である。
【図５５】本発明での使用のための集成されたトロカール／トロカールスリーブ組立体の具体的に説明する側面姿図である。
【図５６】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図５７】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図５８】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図５９】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図６０】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図６１】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図６２】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図６３】骨のトンネル内に骨のブロックを正しい位置に保持するロッドの据付のため骨および骨のブロックを貫通する、当初図５５に描かれた組合せとともに置かれる、スリーブを通って挿入される長いトロカールの使用を示す、具体的に説明する側面の断面の姿図である。
【図６４】本発明に従って形成された段付トロカールの側面姿図である。
【図６５】それを通っての図６４に描かれたような段付トロカールの移動を制限するよう適合された内部停止部を有するトロカールスリーブを示す側面の姿断面図でありる。
【図６６】骨中のスリーブを通りそして骨のトンネル中に配置された骨のブロック中にロッドを駆動するためのプランジャーおよび叩く装置の使用を具体的に説明する、分解された側面の断面の姿図である。
【図６７】本発明に従って形成された別のトロカール／トロカールスリーブの組合せの側面姿図である。
【図６８】本発明に従って形成されたさらに別のトロカール／トロカールスリーブの組合せの側面姿図である。
【図６９】図１９に描かれた拡大カニューレ挿入スリーブ頭部（ｅｎｌａｒｇｅｄ  ｃａｎｎｕｌａｔｅｄ  ｓｌｅｅｖｅ  ｈｅａｄ）の代わりに用いられた開口（ａｐｅｒｔｕｒｅｄ）頭部を示す、具体的に説明する斜視図である。
【図７０】本発明に従って形成されたトロカール／トロカールスリーブの組合せを使用して修復された骨折を横切るロッドの配置を示す、具体的に説明する側面姿図である。
【図７１】本発明に従って形成されたトロカール／トロカールスリーブの組合せを使用して修復された骨折を横切るロッドの配置を示す、具体的に説明する側面姿図である。
【図７２】本発明に従って形成されたトロカール／トロカールスリーブの組合せを使用して修復された骨折を横切るロッドの配置を示す、具体的に説明する側面姿図である。
【図７３】本発明に従って形成されたトロカール／トロカールスリーブの組合せを使用して修復された骨折を横切るロッドの配置を示す、具体的に説明する側面姿図である。
【図７４】本発明に従って形成されたトロカール／トロカールスリーブの組合せを使用して修復された骨折を横切るロッドの配置を示す、具体的に説明する側面姿図である。
【符号の説明】
【０１４１】
１２  大腿骨
１４  脛骨
１６  トンネル
２０  ブロック
３０  第一金属ワイヤ
３２  第一部分
３４  第二ワイヤ
４０  第一吸収性ロッド
４２  ボア
４４  第二吸収性ロッド
５８  スリーブ
７０  トロカールスリーブガイド部材
７４  トロカールスリーブ
７６  トロカールスリーブ
９０  ワイヤガイド
【図１】
2008155037.tif 000003
【図２】
2008155037.tif 000004
【図３】
2008155037.tif 000005
【図４】
2008155037.tif 000006
【図５】
2008155037.tif 000007
【図６】
2008155037.tif 000008
【図７】
2008155037.tif 000009
【図８】
2008155037.tif 000010
【図９】
2008155037.tif 000011
【図１０】
2008155037.tif 000012
【図１１】
2008155037.tif 000013
【図１２】
2008155037.tif 000014
【図１３】
2008155037.tif 000015
【図１４】
2008155037.tif 000016
【図１５】
2008155037.tif 000017
【図１６】
2008155037.tif 000018
【図１７】
2008155037.tif 000019
【図１８】
2008155037.tif 000020
【図１９】
2008155037.tif 000021
【図２０】
2008155037.tif 000022
【図２１】
2008155037.tif 000023
【図２２】
2008155037.tif 000024
【図２３】
2008155037.tif 000025
【図２４】
2008155037.tif 000026
【図２５】
2008155037.tif 000027
【図２６】
2008155037.tif 000028
【図２７】
2008155037.tif 000029
【図２８】
2008155037.tif 000030
【図２９】
2008155037.tif 000031
【図３０】
2008155037.tif 000032
【図３１】
2008155037.tif 000033
【図３２】
2008155037.tif 000034
【図３３】
2008155037.tif 000035
【図３４】
2008155037.tif 000036
【図３５】
2008155037.tif 000037
【図３６】
2008155037.tif 000038
【図３７】
2008155037.tif 000039
【図３８】
2008155037.tif 000040
【図３９】
2008155037.tif 000041
【図４０】
2008155037.tif 000042
【図４１】
2008155037.tif 000043
【図４２】
2008155037.tif 000044
【図４３】
2008155037.tif 000045
【図４４】
2008155037.tif 000046
【図４５】
2008155037.tif 000047
【図４６】
2008155037.tif 000048
【図４７】
2008155037.tif 000049
【図４８】
2008155037.tif 000050
【図４９】
2008155037.tif 000051
【図５０】
2008155037.tif 000052
【図５１】
2008155037.tif 000053
【図５２】
2008155037.tif 000054
【図５３】
2008155037.tif 000055
【図５４】
2008155037.tif 000056
【図５５】
2008155037.tif 000057
【図５６】
2008155037.tif 000058
【図５７】
2008155037.tif 000059
【図５８】
2008155037.tif 000060
【図５９】
2008155037.tif 000061
【図６０】
2008155037.tif 000062
【図６１】
2008155037.tif 000063
【図６２】
2008155037.tif 000064
【図６３】
2008155037.tif 000065
【図６４】
2008155037.tif 000066
【図６５】
2008155037.tif 000067
【図６６】
2008155037.tif 000068
【図６７】
2008155037.tif 000069
【図６８】
2008155037.tif 000070
【図６９】
2008155037.tif 000071
【図７０】
2008155037.tif 000072
【図７１】
2008155037.tif 000073
【図７２】
2008155037.tif 000074
【図７３】
2008155037.tif 000075
【図７４】
2008155037.tif 000076